(57)【要約】【課題】幕の損傷が抑制されたフォーカルプレーンシャッタ及び光学機器を提供することを課題とする。【解決手段】第１開口が形成された第１基板と、複数の第１羽根を含み、前記複数の第１羽根が互いに重なった重畳状態から展開した展開状態に移行するように、前記第１基板に対向して前記第１開口を閉じる第１幕と、前記第１幕の根元部に連結され前記第１幕を走行させる駆動部材と、を備えたフォーカルプレーンシャッタ。【選択図】図６
2015184439.tif 000002
【特許請求の範囲】
【請求項１】
第１開口が形成された第１基板と、
複数の第１羽根を含み、前記複数の第１羽根が互いに重なった重畳状態から展開した展開状態に移行するように、前記第１基板に対向して前記第１開口を閉じる第１幕と、
前記第１幕の根元部に連結され前記第１幕を走行させる駆動部材と、を備え、
前記第１基板は、主板、前記主板に固定され前記主板とは別の副板、を含み、
前記主板及び副板は、協働で前記第１開口を画定し、
前記主板は、前記第１幕の走行方向と交差する方向に延び互いに対向する第１及び第２部、前記第１及び第２部に連続し前記走行方向に延び前記第１幕の前記根元部側に位置する第３部、を含み、
前記第１及び第２部の先端部は、互いに離れており、
前記第１幕が前記第１開口を閉じる際には、前記第２部側から前記第１部側へ走行し、
前記副板は、前記第３部に対向して前記走行方向に延び、前記第１幕の先端部側に位置し、前記第１及び第２部の先端部に固定され、
前記副板の一端は、前記第１部の前記第１幕に対向する面に固定され、
前記副板の他端は、前記第２部に固定され、
前記副板の一端及び他端の間の部分は、前記主板とは重なってない、フォーカルプレーンシャッタ。
【請求項２】
複数の第２羽根を含み、前記複数の第２羽根が互いに重なった重畳状態から展開した展開状態に移行するように、前記第１幕とは逆側で前記１基板に対向して前記第１開口を閉じる第２幕を備え、
前記第２幕が前記第１開口を閉じる際には、前記第１部側から前記第２部側へ走行し、
前記副板の他端は、前記第２部の前記第２幕に対向する面に固定されている、請求項１のフォーカルプレーンシャッタ。
【請求項３】
前記副板の他端は、前記第２部の前記第１幕に対向する面に固定されている、請求項１のフォーカルプレーンシャッタ。
【請求項４】
第２開口が形成され前記第１基板との間で前記第１幕を挟む第２基板と、
第３開口が形成され前記第１基板との間で前記第２幕を挟む第３基板と、を備えた、請求項２のフォーカルプレーンシャッタ。
【請求項５】
第２開口が形成され前記第１基板との間で前記第１幕を挟む第２基板と、を備えた請求項３のフォーカルプレーンシャッタ。
【請求項６】
請求項１乃至５の何れかのフォーカルプレーンシャッタを備えた光学機器。
【発明の詳細な説明】
【技術分野】
【０００１】
本発明は、フォーカルプレーンシャッタ及び光学機器に関する。
【背景技術】
【０００２】
特許文献１には、基板の開口を幕により開閉するフォーカルプレーンシャッタが開示されている。
【先行技術文献】
【特許文献】
【０００３】
【特許文献１】特開２００２−２９６６４０号公報
【発明の概要】
【発明が解決しようとする課題】
【０００４】
幕は複数の羽根から構成され、複数の羽根が重なった重畳状態から展開した展開状態に移行することにより、幕は開口を閉じるように走行する。ここで、展開状態では複数の羽根の重なり量が減るため、幕が撓みやすくなる。このため、幕が重畳状態から展開状態へと走行する場合には、幕が撓んで基板に接触して、幕に傷がつく恐れがある。
【０００５】
そこで本発明は、幕の損傷が抑制されたフォーカルプレーンシャッタ及び光学機器を提供することを目的とする。
【課題を解決するための手段】
【０００６】
上記目的は、第１開口が形成された第１基板と、複数の第１羽根を含み、前記複数の第１羽根が互いに重なった重畳状態から展開した展開状態に移行するように、前記第１基板に対向して前記第１開口を閉じる第１幕と、前記第１幕の根元部に連結され前記第１幕を走行させる駆動部材と、を備え、前記第１基板は、主板、前記主板に固定され前記主板とは別の副板、を含み、前記主板及び副板は、協働で前記第１開口を画定し、前記主板は、前記第１幕の走行方向と交差する方向に延び互いに対向する第１及び第２部、前記第１及び第２部に連続し前記走行方向に延び前記第１幕の前記根元部側に位置する第３部、を含み、前記第１及び第２部の先端部は、互いに離れており、前記第１幕が前記第１開口を閉じる際には、前記第２部側から前記第１部側へ走行し、前記副板は、前記第３部に対向して前記走行方向に延び、前記第１幕の先端部側に位置し、前記第１及び第２部の先端部に固定され、前記副板の一端は、前記第１部の前記第１幕に対向する面に固定され、前記副板の他端は、前記第２部に固定され、前記副板の一端及び他端の間の部分は、前記主板とは重なってない、フォーカルプレーンシャッタによって達成できる。
【０００７】
上記目的は、上記のフォーカルプレーンシャッタを備えた光学機器によっても達成できる。
【発明の効果】
【０００８】
本発明によれば、幕の損傷が抑制されたフォーカルプレーンシャッタ及び光学機器を提供できる。
【図面の簡単な説明】
【０００９】
【図１】図１は、フォーカルプレーンシャッタを備えたカメラのブロック図である。
【図２】図２は、フォーカルプレーンシャッタの正面図である。
【図３】図３は、フォーカルプレーンシャッタの動作の説明図である。
【図４】図４は、フォーカルプレーンシャッタの動作の説明図である。
【図５】図５は、フォーカルプレーンシャッタの左側面図である。
【図６】図６は、仕切板の正面図である。
【図７】図７は、副板を取り外した主板の正面図である。
【図８】図８は、変形例のフォーカルプレーンシャッタを備えたカメラのブロック図である。
【図９】図９は、変形例のフォーカルプレーンシャッタの左側面図である。
【図１０】図１０は、基板の正面図である。
【図１１】図１１は、副板を取り外した主板の正面図である。
【発明を実施するための形態】
【００１０】
図１は、フォーカルプレーンシャッタ１を備えたカメラ（光学機器）Ａのブロック図である。カメラＡは、フォーカルプレーンシャッタ１、制御部１１０、撮像素子１３０、駆動制御部１７０を備えている。フォーカルプレーンシャッタ１は、詳しくは後述するが第１アクチュエータ（以下、アクチュエータと称する）７０ａ、第２アクチュエータ（以下、アクチュエータと称する）７０ｂ、第１センサ（以下、センサと称する）６０ａ、第２センサ（以下、センサと称する）６０ｂを備えている。駆動制御部１７０は、制御部１１０からの指令に応じてアクチュエータ７０ａ、７０ｂの駆動を制御する。駆動制御部１７０は、ＣＰＵ等を備えている。制御部１１０は、センサ６０ａ、６０ｂからの信号に応じて駆動制御部１７０に所定の指令を出す。駆動制御部１７０は、この指令を受けてアクチュエータ７０ａ、７０ｂの駆動を制御する。制御部１１０は、カメラ全体の動作を制御し、ＣＰＵ、ＲＯＭ、ＲＡＭ等を備えている。撮像素子１３０は、ＣＭＯＳである。撮像素子１３０は、被写体像を光電変換作用により電気的信号に変換する受光素子である。尚、カメラＡは、図１には図示していないが、焦点距離を調整するためのレンズ等を備えている。
【００１１】
図２は、フォーカルプレーンシャッタ１の正面図である。図２では、アクチュエータ７０ａ、７０ｂについては省略してある。フォーカルプレーンシャッタ１は、基板１０、先幕２０Ａ、後幕２０Ｂ、アーム３１ａ、３２ａ、３１ｂ、３２ｂ、アクチュエータ７０ａ、７０ｂ等を有している。基板１０には、矩形状の開口１１を有している。先幕２０Ａ、後幕２０Ｂは、それぞれ第１及び第２幕の一例である。また、アクチュエータ７０ａ、７０ｂは、それぞれ第１及び第２アクチュエータの一例である。
【００１２】
先幕２０Ａは、３枚の羽根２１ａ〜２３ａから構成され、後幕２０Ｂは、３枚の羽根２１ｂ〜２３ｂから構成される。図２は、先幕２０Ａ、後幕２０Ｂが重畳状態である場合を示している。図２の場合には、先幕２０Ａ、後幕２０Ｂは開口１１から退避している。先幕２０Ａはアーム３１ａ、３２ａに連結されている。後幕２０Ｂは、アーム３１ｂ、３２ｂに連結されている。これらアーム３１ａ、３２ａ、３１ｂ、３２ｂは、それぞれ基板１０に回転自在に支持されている。
【００１３】
基板１０には、アーム３１ａ、３１ｂをそれぞれ駆動するための第１駆動レバー（以下、駆動レバーと称する）５５ａ、第２駆動レバー（以下、駆動レバーと称する）５５ｂが設けられている。駆動レバー５５ａ、５５ｂは、それぞれ歯車５０ａ、５０ｂに連結されている。歯車５０ａ、５０ｂは、それぞれ歯車４０ａ、４０ｂと噛合している。歯車４０ａ、４０ｂ、５０ａ、５０ｂは、それぞれ筒部４１ａ、４１ｂ、５１ａ、５１ｂを有し、各筒部と嵌合する軸４２ａ、４２ｂ、５２ａ、５２ｂを中心に基板１０に回転可能に支持されている。尚、軸４２ａ、４２ｂ、５２ａ、５２ｂは必ずしも開口１１が形成された基板１０に形成されていなくてもよく、開口１１に対して定位置に設ければよい。
【００１４】
歯車４０ａ、４０ｂは、それぞれ後述するアクチュエータ７０ａ、７０ｂのロータに連結されている。アクチュエータ７０ａが駆動することにより、歯車４０ａ、５０ａが駆動し、これにより駆動レバー５５ａが駆動する。駆動レバー５５ａが駆動することにより、アーム３１ａが駆動する。これにより、先幕２０Ａが走行する。先幕２０Ａは、開口１１から退避した退避位置及び開口１１を閉鎖する閉鎖位置間を走行可能である。先幕２０Ａは、アクチュエータ７０ａにより退避位置及び閉鎖位置間を走行する。歯車４０ｂ、５０ｂ、駆動レバー５５ｂ、後幕２０Ｂについても同様である。
【００１５】
歯車４０ａ、４０ｂには、それぞれ薄板４５ａ、４５ｂが設けられている。薄板４５ａ、４５ｂはそれぞれ歯車４０ａ、４０ｂと共に回転する。薄板４５ａ、４５ｂはそれぞれ扇状である。センサ６０ａ、６０ｂは、それぞれ薄板４５ａ、４５ｂがセンサ６０ａ、６０ｂを通過したか否かを検出することにより、先幕２０Ａ、後幕２０Ｂの位置を検出する。
【００１６】
次に、フォーカルプレーンシャッタ１の動作について説明する。図２〜４は、フォーカルプレーンシャッタ１の動作の説明図である。待機状態においては、図２に示すように先幕２０Ａ、後幕２０Ｂは、退避位置に位置づけられ開口１１は全開状態のままに維持される。
【００１７】
カメラＡは、撮像素子からの出力を液晶モニター等にリアルタイムに映し出すライブビューモードに対応可能である。即ち、カメラＡはデジタルカメラである。従って、ライブビューモード時には図２の状態が維持される。
【００１８】
カメラＡのレリーズスイッチが押されると、チャージ動作が開始される。チャージ動作が開始されると、アクチュエータ７０ａのコイルに通電されて先幕２０Ａは開口１１を閉じるように走行する。具体的には、歯車４０ａが反時計方向に回転して歯車５０ａが時計方向に回転してアーム３１ａが駆動する。
【００１９】
その後、先幕２０Ａが開口１１を閉鎖し後幕２０Ｂが開口１１から退避した状態でアクチュエータ７０ａのコイルへの通電が遮断される。このようにしてチャージ動作が完了する。図３は、チャージ動作が完了した状態でのフォーカルプレーンシャッタ１の状態を示している。図３では、先幕２０Ａが閉鎖位置にあり後幕２０Ｂが退避位置にある。
【００２０】
チャージ動作完了後、所定の休止期間を経て、露出動作が開始される。制御部１１０は駆動制御部１７０に指令を出してアクチュエータ７０ａのコイルを通電して先幕２０Ａが開口１１を開くように走行させる。具体的には、歯車４０ａが時計方向に駆動し歯車５０ａが反時計方向に駆動する。この際、アーム３１ａが移動して、先幕２０Ａが走行する。制御部１１０は、センサ６０ａからの出力信号の切り替わりを検出することにより、先幕２０Ａが開口１１から退避したことを検出することができる。先幕２０Ａが開口１１から退避すると再び図２の状態になる。
【００２１】
制御部１１０はセンサ６０ａにより先幕２０Ａが開口１１から退避したことを検出してから所定期間経過後にアクチュエータ７０ｂのコイルに通電して後幕２０Ｂの走行を開始する。これにより、後幕２０Ｂが開口１１を閉じるように走行する。先幕２０Ａが開口１１から完全に退避し後幕２０Ｂが開口１１を完全に閉鎖するとアクチュエータ７０ａ、７０ｂのコイルへの通電は遮断される。図４は、先幕２０Ａが退避位置にあり後幕２０Ｂが閉鎖位置にある状態を示している。このようにして、露出動作が終了する。
【００２２】
露出動作終了後、制御部１１０のＲＡＭや又はカメラ側のメモリにデータが読み込まれる。次に、アクチュエータ７０ｂのコイルが通電されて後幕２０Ｂが開口１１から退避し、開口１１は全開状態が維持されて、図２に示した待機状態に戻る。
【００２３】
尚、アクチュエータ７０ａは、ロータ、励磁されることによりロータとの間で磁力が作用するステータ、ステータを励磁するためのコイルを備えている。ロータは、周方向に異なる極性に着磁された永久磁石である。ロータは、軸４２ａにより回転可能に支持されている。ロータには歯車４０ａが固定されており、ロータが回転することにより先幕２０Ａが駆動する。同様に、アクチュエータ７０ｂも、ロータ、ステータ、コイルを備えている。アクチュエータ７０ｂのロータは、軸４２ｂにより回転可能に支持され、歯車４０ｂが固定されている。アクチュエータ７０ｂのロータ７２ｂが回転することにより後幕２０Ｂが駆動する。
【００２４】
また、連続撮影モードでは、露出動作終了後、後幕２０Ｂが開口１１を閉鎖した状態で先幕２０Ａが開口１１を閉鎖するように走行を開始する。その後、先幕２０Ａが開口１１を閉鎖し後幕２０Ｂが開口１１から退避してチャージ動作が完了する。
【００２５】
図５Ａ、５Ｂは、フォーカルプレーンシャッタ１の左側面図である。フォーカルプレーンシャッタ１は、基板１０に固定された仕切板１０ａ、受板１０ｂを有している。基板１０と受板１０ｂとの間に仕切板１０ａが配置されている。基板１０にはピン１１ｍｐ、１２ｍｐが設けられており、仕切板１０ａ、受板１０ｂに設けられた孔に挿入されることによって、仕切板１０ａ、受板１０ｂは基板１０に固定されている。仕切板１０ａは、基板１０、受板１０ｂの間で、先幕２０Ａ、後幕２０Ｂがそれぞれ走行する空間を仕切っている。仕切板１０ａは、略平行に配置された基板１０及び受板１０ｂに対して斜めに配置されている。仕切板１０ａ、受板１０ｂにも、それぞれ基板１０の開口１１に対応する位置に開口１１ａ、１１ｂが形成されている。先幕２０Ａは、仕切板１０ａに対向し、後幕２０Ｂは先幕２０Ａとは逆側で仕切板１０ａに対向している。図５Ａは、開口１１を全開にする待機状態を示している。待機状態では、図５Ａに示すように、羽根２１ａ〜２３ａは開口１１から退避した位置で重畳状態であり、羽根２１ｂ〜２３ｂも開口１１から退避した位置で重畳状態にある。
【００２６】
図５Ｂは、例えば連続撮影モードにおいて、後幕２０Ｂが開口１１を閉鎖した状態で先幕２０Ａが開口１１を閉鎖するように走行している途中の状態を示している。また、待機状態で常時開口１１を閉鎖するノーマリクローズドタイプのカメラの場合にも、図５Ｂに示すようにチャージ動作が行われる。羽根２１ａ〜２３ａが互いに重なった重畳状態から展開した展開状態へ移行して先幕２０Ａは開口１１を閉鎖する。また、羽根２１ａ〜２３ａが展開状態から重畳状態へ移行することにより先幕２０Ａは開口１１から退避する。後幕２０Ｂの羽根２１ｂ〜２３ｂについても同様である。
【００２７】
図６は、仕切板１０ａの正面図である。仕切板１０ａは、互いに固定された主板１０ｍ、副板１０ｓから構成されている。主板１０ｍ、副板１０ｓは協働で開口１１ａを画定する。即ち、矩形状の開口１１ａの３つの辺は主板１０ｍにより画定され、開口１１ａの残りの一つの辺は副板１０ｓにより画定されている。主板１０ｍの面積は副板１０ｓよりも大きい。主板１０ｍ、副板１０ｓは合成樹脂製であるが、金属の薄板あるいは繊維強化樹脂製であってもよい。
【００２８】
図７は、副板１０ｓを取り外した主板１０ｍの正面図である。主板１０ｍは、部分１１ｍ、１２ｍ、１３ｍを含む。部分１１ｍ、１２ｍは略平行であり、先幕２０Ａ、後幕２０Ｂの走行方向に略直交する方向に延びている。部分１３ｍは、先幕２０Ａ、後幕２０Ｂの走行方向に延びており、部分１１ｍ、１２ｍに略直交して連続している。歯車４０ａ、４０ｂ、５０ａ、５０ｂ等は部分１３ｍ側に配置され、先幕２０Ａ、後幕２０Ｂの根元部は部分１３ｍ側に位置する。部分１１ｍ、１２ｍは互いに連続しておらず、部分１１ｍ、１２ｍのそれぞれの先端部１１ｍｅ、１２ｍｅは互いに離れている。このように主板１０ｍは、略コ字状である。換言すれば、主板１０ｍは、枠状の板の一辺を除去した形状である。開口１１ａを閉じる際、後幕２０Ｂは部分１２ｍ側から部分１１ｍ側へと走行し、先幕２０Ａは部分１１ｍ側から部分１２ｍ側へ走行する。即ち、開口１１ａから退避した重畳状態では、先幕２０Ａは、部分１１ｍ側に位置し、後幕２０Ｂは、部分１２ｍ側に位置する。部分１１ｍ、１２ｍは、第１及び第２部分の一例である。部分１３ｍは、第３部分の一例である。後幕２０Ｂは、第１幕の一例である。先幕２０Ａは、第２幕の一例である。仕切板１０ａは第１基板の一例である。開口１１ａは第１開口の一例である。基板１０は、第２基板の一例である。開口１１は、第２開口の一例である。受板１０ｂは、第３基板の一例である。開口１１ｂは、第３開口の一例である。
【００２９】
副板１０ｓは、主板１０ｍの部分１３ｍに対向し部分１３ｍと略平行に延びているように、主板１０ｍに固定されている。具体的には、副板１０ｓは直線状に延びた薄板であり、副板１０ｓの一端部１１ｓは、主板１０ｍの先端部１１ｍｅに固定され、副板１０ｓの他端部１２ｓは主板１０ｍの先端部１２ｍｅに固定されている。一端部１１ｓ、先端部１１ｍｅには、ピン１１ｍｐが共通に嵌合する孔１１ｍｈが形成されている。他端部１２ｓ、先端部１２ｍｅには、ピン１２ｍｐが共通に嵌合する孔１２ｍｈが形成されている。副板１０ｓは、先幕２０Ａ、後幕２０Ｂの先端側に位置する。
【００３０】
また、副板１０ｓの一端部１１ｓは、仕切板１０ａの後幕２０Ｂに対向する面に固定されている。これに対し、副板１０ｓの他端部１２ｓは、仕切板１０ａの先幕２０Ａに対向する面に固定されている。このように、副板１０ｓは、仕切板１０ａの表面と裏面とに固定され、副板１０ｓは主板１０ｍに対してわずかに傾斜して固定されている。従って、副板１０ｓの一方の面は、部分１１ｍから先幕２０Ａ側に露出しており、副板１０ｓの他方の面は、部分１２ｍから後幕２０Ｂ側に露出している。
【００３１】
後幕２０Ｂが重畳状態から展開状態へ走行して開口１１ａを閉鎖する際、後幕２０Ｂの羽根２１ｂ〜２３ｂの重なり量が減って撓みやすくなる。これにより、後幕２０Ｂの先端部が仕切板１０ａ側に撓む場合がある。上述したように副板１０ｓの一端部１１ｓは、部分１１ｍの後幕２０Ｂに対向する面に固定されている。このため、後幕２０Ｂが開口１１ａを閉鎖するように走行する途中で後幕２０Ｂの先端部が仕切板１０ａ側に撓んだとしても、後幕２０Ｂの先端部は主板１０ｍには接触せずに副板１０ｓに接触する。このように、副板１０ｓは、後幕２０Ｂの先端部が主板１０ｍに接触することを抑制している。これにより、例えば後幕２０Ｂの先端部が開口１１ａの一辺を画定する部分１１ｍの縁に接触して傷がつくことが抑制される。
【００３２】
同様に、先幕２０Ａが開口１１ａを閉鎖するように走行する途中で先幕２０Ａの先端部が仕切板１０ａ側に撓んだとしても、先幕２０Ａの先端部は主板１０ｍには接触せずに副板１０ｓに接触する。これにより、例えば先幕２０Ａの先端部が開口１１ａの一辺を画定する部分１２ｍの縁に接触して傷がつくことが抑制される。
【００３３】
また、図５Ｂに示したように、後幕２０Ｂが開口１１ａを閉鎖した状態で先幕２０Ａが開口１１ａを閉鎖するように走行する場合にも、先幕２０Ａが主板１０ｍの部分１２ｍや後幕２０Ｂに接触することを抑制できる。
【００３４】
また、副板１０ｓの一端部１１ｓ及び他端部１２ｓの間の中央部分は、主板１０ｍとは重なっていない。このため、副板１０ｓの中央部分では湾曲しやすい。このため、例えば副板１０ｓの中央部分に先幕２０Ａ、後幕２０Ｂの先端部が接触した場合には、副板１０ｓの中央部分が湾曲して衝撃を抑制できる。これによっても、先幕２０Ａ、後幕２０Ｂに傷がつくことが抑制される。
【００３５】
また、単一の副板１０ｓが主板１０ｍに固定されているため、仕切板１０ａ全体の厚みが増大することが抑制されている。これにより、先幕２０Ａが配置される受板１０ｂと仕切板１０ａとの間の空間、及び後幕２０Ｂが配置される基板１０と仕切板１０ａとの間の空間の大きさが確保されている。ここで、例えば受板１０ｂと仕切板１０ａとの間の空間が狭いと、先幕２０Ａが受板１０ｂや仕切板１０ａに接触しやすくなり先幕２０Ａの走行への抵抗が大きくなる恐れがある。同様に、基板１０と仕切板１０ａとの間の空間が狭くなると、後幕２０Ｂの走行への抵抗が大きくなる恐れがある。本実施例では、これらの空間を確保できるため、先幕２０Ａ、後幕２０Ｂの走行抵抗が増大することを抑制でき、また先幕２０Ａ、後幕２０Ｂに傷がつくことも抑制される。また、単一の副板１０ｓが主板１０ｍに固定されているので、部品点数の増加を抑制しつつ先幕２０Ａ、後幕２０Ｂの双方に傷がつくことが抑制される。
【００３６】
また、本実施例では主板１０ｍ、副板１０ｓは同一材料に形成されるが本発明はこれに限定されない。例えば、副板１０ｓを主板１０ｍよりも剛性の低い材料により形成してもよい。また、副板１０ｓを主板１０ｍよりも薄くてもよい。何れの場合にも、副板１０ｓは先幕２０Ａ、後幕２０Ｂの先端部が接触した場合の衝撃を抑制できる。例えば、主板１０ｍは金属製であり、副板１０ｓは合成樹脂製であってもよい。
【００３７】
尚、本実施例では、単一の副板１０ｓを主板１０ｍに固定しているが本発明これに限定されない。例えば、一つの副板を主板１０ｍの先端部１１ｍｅ、１２ｍｅの先幕２０Ａに対向する面に固定し、更に別の副板を主板１０ｍの先端部１１ｍｅ、１２ｍｅの後幕２０Ｂに対向する面に固定してもよい。この場合、２つの副板の、主板とは重ならない中央部分の間に空間が形成され、２つの副板が湾曲しやすくなる。これによっても、先幕２０Ａ、後幕２０Ｂが傷つくことが抑制される。尚、この場合も、開口１１ａを閉鎖するように走行している途中の先幕２０Ａ、後幕２０Ｂの先端部が、それぞれ部分１２ｍ、１１ｍの縁に接触することが抑制される。
【００３８】
図８は、変形例のフォーカルプレーンシャッタ１´を備えたカメラＡ´のブロック図である。尚、類似する構成については類似する符号を付することにより重複する説明を省略する。フォーカルプレーンシャッタ１´は、フォーカルプレーンシャッタ１とは異なり先幕２０Ａ、アクチュエータ７０ａ、センサ６０ａ等を有していない。制御部１１０´は、撮像素子１３０の蓄積電荷を画素ライン毎に所定方向に順次リセットすることにより電荷の蓄積を順次開始する。具体的には、後幕２０Ｂの走行方向と直交する撮像素子１３０の画素ライン毎に、撮像素子１３０の電荷の蓄積を所定のタイミングで順次開始する。これにより、電子的な先幕が露出開始位置から露出終了位置へ向けて擬似的に走行する。その後、所定時間後に駆動制御部１７０´により後幕２０Ｂが開口１１を閉鎖するように移動させることで撮像素子１３０の画素ライン毎に電荷の蓄積が順次終了して露出作動が終了する。カメラＡは、所謂、電子先幕機能を有する光学機器である。
【００３９】
図９は、変形例のフォーカルプレーンシャッタ１´の側面図である。フォーカルプレーンシャッタ１´は、互いに固定された基板１０´及び受板１０ｂ´を有している。基板１０´、受板１０ｂ´にはそれぞれ開口１１´、１１ｂ´が形成されている。基板１０´、受板１０ｂ´の間に後幕２０Ｂが配置されており、仕切板は設けられていない。図１０は、基板１０´の正面図である。基板１０´の部分１３ｍ´には、不図示の駆動レバーの駆動ピンを逃がすための円弧状の逃げ孔１５が形成されている。駆動レバーの駆動ピンがアームに係合してアームを駆動する。また、基板１０´には、後幕２０Ｂを駆動する２つのアームを回転可能に支持する軸５２ｂが形成されている。基板１０´は、第１基板の一例である。開口１１´は、第１開口の一例である。受板１０ｂ´は、第２基板の一例である。開口１１ｂ´は、第２開口の一例である。
【００４０】
基板１０´は、互いに固定された主板１０ｍ´、副板１０ｓ´から構成されている。主板１０ｍ´、副板１０ｓ´は協働で開口１１´を画定する。即ち、矩形状の開口１１´の３つの辺は主板１０ｍ´により画定され、開口１１´の残りの一つの辺は副板１０ｓ´により画定されている。主板１０ｍ´、副板１０ｓ´は合成樹脂製であるが、金属の薄板あるいは繊維強化樹脂製であってもよい。副板１０ｓ´は、主板１０ｍ´よりも薄い。尚、主板１０ｍ´に形成されたピン１１ｍｐ〜１４ｍｐに受板１０ｂ´が固定され、ピン１１ｍｐ、１２ｍｐは、副板１０ｓ´に形成された２つの孔にそれぞれ嵌合している。
【００４１】
図１１は、副板１０ｓ´を取り外した主板１０ｍ´の正面図である。副板１０ｓ´は、基板１０´の後幕２０Ｂに対向する面に固定されている。即ち、副板１０ｓ´の一端部１１ｓ´及び他端部１２ｓ´は、基板１０´の同一面側の部分１１ｍ´及び部分１２ｍ´にそれぞれ固定されている。
【００４２】
後幕２０Ｂが開口１１´を閉鎖するように走行する途中で後幕２０Ｂの先端部が基板１０´側に撓んだとしても、後幕２０Ｂの先端部は主板１０ｍ´には接触せずに副板１０ｓ´に接触する。これにより、例えば後幕２０Ｂの先端部が開口１１´の一辺を画定する部分１１ｍ´の縁に接触して傷がつくことが抑制される。
【００４３】
また、副板１０ｓ´の中央部分は、主板１０ｍ´とは重なっていないため湾曲しやすい。このため、副板１０ｓ´の中央部分に後幕２０Ｂの先端部が接触した衝撃が抑制される。また、副板１０ｓ´は主板１０ｍ´よりも薄く湾曲しやすい。このため、後幕２０Ｂに傷がつくことが抑制されている。
【００４４】
主板１０ｍ´は金属製であり、副板１０ｓ´は合成樹脂製であってもよい。主板１０ｍ´を金属製にすることにより、フォーカルプレーンシャッタ１´の全体の強度を確保しつつ、副板１０ｓ´は合成樹脂製なので後幕２０Ｂに傷がつくことを抑制できる。
【００４５】
尚、本変形例では基板１０´を２つの主板１０ｍ´、副板１０ｓ´で構成したが、本発明はこれに限定されない。基板１０´、受板１０ｂ´の少なくとも一方をこのような２つの主板、副板で構成してもよい。
【００４６】
尚、本変形例では、副板１０ｓ´の一端部１１ｓ´が基板１０´の部分１１ｍ´の後幕２０Ｂ側の面に固定され、副板１０ｓ´の他端部１２ｓ´は、基板１０´の部分１２ｍ´の外側の面に固定されていてもよい。
【００４７】
本変形例では、先幕は設けられていないが、先幕、後幕、及び仕切板が設けられているフォーカルプレーンシャッタの基板及び受板の少なくとも一方を、主板及び副板から構成してもよい。
【００４８】
以上本発明の好ましい実施形態について詳述したが、本発明は係る特定の実施形態に限定されるものではなく、特許請求の範囲に記載された本発明の要旨の範囲内において、変形・変更が可能である。
【００４９】
上記実施例において、先幕及び後幕は、それぞれ３枚の羽根から構成されるが、本発明はこれに限定されず、例えば２枚の羽根から構成されるものであってもよいし、４枚以上の羽根から構成されるものであってもよい。
【００５０】
上記実施例、変形例では、幕の駆動源としてアクチュエータを用いたが電磁石とバネとにより幕を駆動するものであってもよい。
【符号の説明】
【００５１】
Ａ  カメラ
１  フォーカルプレーンシャッタ
１０  基板
１０ａ  仕切板
１０ｂ  受板
１０ｍ  主板
１１ｍ〜１３ｍ  部分
１０ｓ  副板
１１ｓ  一端部
１２ｓ  他端部
１１、１１ａ、１１ｂ  開口
２０Ａ  先幕
２０Ｂ  後幕
２１ａ〜２３ａ、２１ｂ〜２３ｂ  羽根
【図１】
2015184439.tif 000003
【図２】
2015184439.tif 000004
【図３】
2015184439.tif 000005
【図４】
2015184439.tif 000006
【図５】
2015184439.tif 000007
【図６】
2015184439.tif 000008
【図７】
2015184439.tif 000009
【図８】
2015184439.tif 000010
【図９】
2015184439.tif 000011
【図１０】
2015184439.tif 000012
【図１１】
2015184439.tif 000013